(57)【要約】【課題】特定のチャネルが固定クロック・パス専用チャネルであることを意識せずとも、自動的に網同期を行う。【解決手段】周波数差分検出部１１ｂは、上りＦＩＦＯ１１ａのＷＣ及びＲＣの周波数差分を検出する。挿入スタッフ率判定部１１ｃは、周波数差分検出部１１ｂによって検出された周波数差分に基づき、ＣＨ１１における挿入スタッフ率を計算する。挿入スタッフ率検出チャネル判定部１９ａにおいて、各チャネルの挿入スタッフ率を比較する。２．４８８３２Ｇｂ／ｓの４ＣＨをＯＴＵ２に多重する場合では、挿入スタッフ率が約１７．６５ｐｐｍ、９．９５３２８Ｇｂ／ｓの４ＣＨを、ＯＴＵ３に多重する場合では、挿入スタッフ率が約約３５．４６ｐｐｍに最も近いチャネルを判定する。このようにして、挿入スタッフ率が、所定値に最も近いチャネルを判定した結果に基づいて、高精度基準クロックを伝送するチャネルを検出することができる。【選択図】        図２
2009296067.tif 000002
【特許請求の範囲】
【請求項１】
複数のチャネルを介して信号が入力される通信インターフェース装置の基準クロック選択回路であって、
各前記チャネルを介して入力された信号に挿入される挿入スタッフビット量を監視する挿入スタッフビット量監視部と、
前記挿入スタッフビット量監視部によって監視される各前記チャネルを介して入力された信号に挿入される挿入スタッフビット量が、基準クロック発信器によって生成された基準クロックに基づく基準信号の挿入スタッフビット量と一致するチャネルを、前記複数のチャネルから検出するチャネル検出部と、
前記チャネル検出部によって検出されたチャネルを、接続されるネットワーク網の網同期の基準クロックとして選択する基準クロック選択部と
を有することを特徴とする基準クロック選択回路。
【請求項２】
前記基準クロック選択部は、各前記複数のチャネル実装状況及び各前記信号が含む警告信号を監視し、前記チャネル検出部によって検出されたチャネルを介して入力された前記信号が、前記警告信号を含まない場合に、前記チャネル検出部によって検出されたチャネルを、接続されるネットワーク網の網同期の基準クロックとして選択することを特徴とする請求項１記載の基準クロック選択回路。
【請求項３】
各前記チャネルは、
入力された信号を滞留させるバッファメモリと、
前記信号の書き込み周波数及び読み出し周波数の差分を検出する周波数差分検出部と
を有し、
前記挿入スタッフビット量監視部は、前記周波数差分検出部によって検出された前記信号の書き込み周波数及び読み出し周波数の差分から前記挿入スタッフビット量を判定することを特徴とする請求項１又は２記載の基準クロック選択回路。
【請求項４】
前記複数のチャネルを介して入力された信号を、前記基準クロックを基準として多重する信号多重部をさらに有することを特徴とする請求項１、２又は３記載の基準クロック選択回路。
【請求項５】
前記信号は、光信号であり、
前記信号多重部は、デジタル・ラッパー方式によって、前記複数のチャネルを介して入力された光信号を多重することを特徴とする請求項４記載の基準クロック選択回路。
【請求項６】
複数のチャネルを介して信号が入力される通信インターフェース装置の基準クロック選択方法であって、
各前記チャネルを介して入力された信号に挿入される挿入スタッフビット量を監視する挿入スタッフビット量監視ステップと、
前記挿入スタッフビット量監視ステップによって監視される各前記チャネルを介して入力された信号に挿入される挿入スタッフビット量が、基準クロック発信器によって生成された基準クロックに基づく基準信号の挿入スタッフビット量と一致するチャネルを、前記複数のチャネルから検出するチャネル検出ステップと、
前記チャネル検出ステップによって検出されたチャネルを、接続されるネットワーク網の網同期の基準クロックとして選択する基準クロック選択ステップと
を含むことを特徴とする基準クロック選択方法。
【請求項７】
前記複数のチャネルを介して入力された信号を、前記基準クロックを基準として多重する信号多重ステップをさらに含むことを特徴とする請求項６記載の基準クロック選択方法。
【請求項８】
複数のチャネルを介して信号が入力される通信インターフェース装置であって、
各前記チャネルを介して入力された信号に挿入される挿入スタッフビット量を監視する挿入スタッフビット量監視部と、
前記挿入スタッフビット量監視部によって監視される各前記チャネルを介して入力された信号に挿入される挿入スタッフビット量が、基準クロック発信器によって生成された基準クロックに基づく基準信号の挿入スタッフビット量と一致するチャネルを、前記複数のチャネルから検出するチャネル検出部と、
前記チャネル検出部によって検出されたチャネルを、接続されるネットワーク網の網同期の基準クロックとして選択する基準クロック選択部と
を有することを特徴とする通信インターフェース装置。
【発明の詳細な説明】
【技術分野】
【０００１】
本発明は、複数の光信号や電気信号を、基準クロックに基づいて多重する基準クロック選択回路、基準クロック選択方法及び通信インターフェース装置に関する。
【背景技術】
【０００２】
インターネットなどのコンピュータネットワーク通信の重要性が飛躍的に増し、コンピュータネットワーク通信の通信速度も、更なる高速化が求められてきている。例えば、インターネットは、基幹伝送路としてバックボーン回線を有するが、バックボーン回線には、ＷＤＭ（Wavelength  Division  Multiplex）と呼ばれる広帯域の光通信技術が利用されることが一般的になってきている。
【０００３】
ＷＤＭは、１本の光ファイバに異なる波長の光を伝送させてチャネルを多重化することによって、大容量の双方向高速データ通信を行うことが可能になる技術である。現在では、１波長あたり２．５Ｇｂ／ｓの伝送速度を有するチャネルを４つ多重化して、１０Ｇｂ／ｓの伝送速度のＷＤＭが主流である。
【０００４】
そして、ＷＤＭ回線及びクライアント回線を接続する光インターフェース装置のＷＤＭ回線側には、光波長多重分離装置が配置される。光波長多重分離装置は、クライアント回線からの光信号を多重化してＷＤＭ回線に送出し、ＷＤＭ回線からの光信号を多重分離して各光インターフェース装置へ分配する機能を有する。
【０００５】
また、ＷＤＭ回線及びクライアント回線を接続する光インターフェース装置のクライアント回線側には、光インターフェース装置が配置される。光インターフェース装置は、光インターフェースユニットを複数含む。光インターフェースユニットは、クライアント回線からの複数チャネルの光信号にオーバーヘッド情報を付加するなどして多重化し、光波長多重分離装置へと受け渡す機能を有する。
【０００６】
ところで、ＷＤＭ回線及びクライアント回線は、異なるネットワークであることから、互いに通信を確立するためには、網同期と呼ばれる、クロックの統一を行わなければならない。異なるネットワーク間の通信を確立させるために、従来技術において、種々の網同期方式及び網同期装置が提案されてきた。
【０００７】
そして、網同期方式の中でも、ネットワークのクロック基準局に、精度及び信頼性が高い（すなわち、偏差が小さい）固定クロックを発振するクロック発振器を設置しておき、クロック基準局のクロック発振器が発振する固定クロックを、その他の局に配分する従属同期方式がある。
【０００８】
従属同期方式では、クロック基準局のクロック発振器が発振する固定クロックを、その他の局に配分するために、接続回線の複数チャネルの内、特定の一チャネルを、固定クロック・パス専用チャネルとして確保する必要がある。
【０００９】
【特許文献１】特開平１１−１２７１２８号公報
【非特許文献１】河西宏之ほか２名、「マルチメディアネットワークシリーズ  ＳＤＨ伝送方式」、オーム社、１９９３年９月発行、「第５章  網同期装置“５．１  網同期とは”」
【発明の開示】
【発明が解決しようとする課題】
【００１０】
しかしながら、上記従来技術では、特定のチャネルを固定クロック・パス専用チャネルとするため、ユーザは、このチャネルを、通常のデータ通信に使用することができない。すなわち、網同期を行う際には、特定のチャネルが固定クロック・パス専用チャネルであることを意識しておかなければならない。
【００１１】
このため、光インターフェース装置の現地設置の際に稼働試験を行うとき、特定のチャネルが固定クロック・パス専用チャネルであることを考慮し忘れた場合に、不都合が発生するおそれがあった。
【００１２】
すなわち、外部通信装置とのインターフェース接続の状況によっては、例えば、いわゆるＰＬＬ（Phase  Locked  Loop）ループ・アイランド状態などが発生してしまい、外部通信装置とクロック非同期となり、信号疎通が出来ないという問題があった。
【００１３】
本発明は、上記問題点（課題）を解消するためになされたものであって、特定のチャネルが固定クロック・パス専用チャネルであることを意識せずとも、自動的に網同期が行える基準クロック選択回路、基準クロック選択方法及び通信インターフェース装置を提供することを目的とする。
【課題を解決するための手段】
【００１４】
上述した問題を解決し、目的を達成するため、基準クロック選択回路、基準クロック選択方法及び通信インターフェース装置の一観点において、複数のチャネルを介して信号の制御をおこない、複数チャネルを介して入力された信号に挿入される挿入スタッフビット量を監視し、各チャネルを介して入力された信号に挿入される挿入スタッフビット量が、基準クロック発振器によって生成された基準クロックに基づく基準光信号の挿入スタッフビット量と一致するチャネルを、複数のチャネルから検出し、検出されたチャネルを、接続されるネットワーク網の網同期の基準クロックとして選択することを要件とする。
【発明の効果】
【００１５】
開示の基準クロック選択回路、基準クロック選択方法及び通信インターフェース装置によれば、特定のチャネルが固定クロック・パス専用チャネルであることを意識せずとも、自動的に固定クロック・パス専用チャネルが特定され、固定クロック・パス専用チャネルを介して伝送される固定クロックにて網同期を行うことが可能になるという効果を奏する。
【発明を実施するための最良の形態】
【００１６】
以下に添付図面を参照し、本発明の基準クロック選択回路、基準クロック選択方法及び通信インターフェース装置にかかる実施形態の一例を詳細に説明する。なお、以下に示す基準クロック選択回路、基準クロック選択方法及び通信インターフェース装置は、光通信を行うＷＤＭインターフェース装置及びＷＤＭインターフェースユニットに関するものであるとするが、これに限定されず、電気通信を行うインターフェース装置及びインターフェースユニットに関するものであってもよい。なお、以下では、“チャネル”を“ＣＨ”と略記する。
【００１７】
ＷＤＭは、光通信網の規格であるＯＴＮ（Optical  Transport  Network、ＩＴＵ−Ｔが２０００年に勧告した光伝送規格）のＯＴＵ１〜３として国際的に標準化されている。ＯＴＵ１は、約２．６６６Ｇｂ／ｓの伝送レートを実現するＷＤＭ規格である。ＯＴＵ２は、約１０．７０９Ｇｂ／ｓの伝送レートを実現するＷＤＭ規格である。ＯＴＵ３は、約４３．０１８Ｇｂ／ｓの伝送レートを実現するＤＷＤＭ（Dense  Wavelength  Division  Multiplex）と呼ばれるＷＤＭ規格である。
【００１８】
一方、クライアント側回線は、約２．４８８Ｇｂ／ｓの伝送レート、約９．９５３Ｇｂ／ｓの伝送レート、３９．８１３Ｇｂ／ｓの伝送レートと、様々な伝送レートの回線がある。クライアント側回線と、ＷＤＭ回線とを接続する際には、デジタル・ラッパー化を行い、両回線の伝送レートのギャップを解消している。
【００１９】
例えば、約２．４８８Ｇｂ／ｓの伝送レートであるクライアント側回線の１つのＣＨをＯＴＵ１にデジタル・ラッパー化するケース、約９．９５３Ｇｂ／ｓの伝送レートであるクライアント側回線の１つのＣＨをＯＴＵ２にデジタル・ラッパー化するケース、約３９．８１３Ｇｂ／ｓの伝送レートであるクライアント側回線の１つのＣＨをＯＴＵ３にデジタル・ラッパー化するケースがある。
【００２０】
また、例えば、約２．４８８Ｇｂ／ｓの伝送レートであるクライアント側回線の４つのＣＨをＯＴＵ２に多重化してデジタル・ラッパー化するケース、約９．９５３Ｇｂ／ｓの伝送レートであるクライアント側回線の４つのＣＨをＯＴＵ３に多重化してデジタル・ラッパー化するケースがある。以下に示す実施形態の一例では、クライアント側回線の４つのチャネルを、ＯＴＵ２又はＯＴＵ３に多重化してデジタル・ラッパー化するケースを前提とする。
【００２１】
実施形態の一例の説明に先立って、基準クロック選択回路、基準クロック選択方法及び通信インターフェース装置の実施形態の一例を開示する前に、図４〜図６を参照して、従来の基準クロック選択方法及び通信インターフェース装置の問題点について説明する。
【００２２】
図４は、従来技術のＷＤＭインターフェースの構成の概略を示すブロック図である。図４では、光インターフェース装置及び光波長多重分離装置を、光多重装置と総称する。同図に示すような光多重装置において、ある基準クロック局からの周波数精度が±０ｐｐｍ（parts  per  million、１０−６分の１）である基準クロック（すなわち、クロックの偏差が小さい）を元に、伝送網全体の同期を行う。従来では、同図の通り、複数チャネルの中からどれか一つのチャネルを、固定的に、クロック・パス専用として運用する必要があった。
【００２３】
そのため、例えば、ＷＤＭインターフェース装置の現地設置の際に、作業担当者は、特定のチャネルが固定クロック・パス専用チャネルであること（以下、操作制限と呼ぶ）を、常に意識しておかなければならなかった。仮に、作業担当者は、特定のチャネルが固定クロック・パス専用チャネルであることを忘れてネットワーク接続又は導通試験を行うと、接続されたネットワーク又は試験装置とクロック非同期となり、信号疎通が出来なくなる。
【００２４】
例えば、ＷＤＭインターフェース装置の現地設置の際に、図５に示すような接続で導通試験を行うとする。すなわち、ＷＤＭインターフェース装置の試験装置又は接続される通信装置から、多重端局の光インターフェース装置のＣＨ１へ、基準クロックの信号が入力されるとする。そして、ＣＨ１の出力は、多重端局の光波長多重分離装置、中継局、対向多重端局の光波長多重分離装置を介して、対向多重端局の光インターフェース装置のＣＨ１へと入力される。
【００２５】
対向多重端局の光インターフェース装置のＣＨ１では、入力と出力とを直結する折り返し接続をおこなっている。これにより、多重端局の光インターフェース装置のＣＨ１の出力信号は、対向多重端局の光インターフェース装置のＣＨ１によって折り返され、自チャネルへとループバックされることとなる。
【００２６】
さらに、多重端局の光インターフェース装置のＣＨ１は、ループバックされてきた信号を、同一の光インターフェース装置のＣＨ２へと入力する。対向多重端局の光インターフェース装置のＣＨ２では、入力と出力とを直結する折り返し接続を行っているため、多重端局の光インターフェース装置のＣＨ２の出力信号は、対向多重端局の光インターフェース装置のＣＨ２によって折り返され、自チャネルへとループバックされることとなる。
【００２７】
そして、多重端局の光インターフェース装置のＣＨ２は、ループバックされてきた信号を、同一の光インターフェース装置のＣＨ３へと入力する。対向多重端局の光インターフェース装置のＣＨ３及びＣＨ４も、ＣＨ１及びＣＨ２と同様に、入力と出力とを直結する折り返し接続をおこなっている。また、ＣＨ３は、対向多重端局のＣＨ３からのループバック信号を、同一の光インターフェース装置のＣＨ４へと入力する。
【００２８】
そして、最終的に、ＣＨ４は、対向多重端局のＣＨ４からのループバック信号を、ＷＤＭインターフェース装置の試験装置又は接続される通信装置へと出力することとなる。このような導通試験の接続例を、タンデム接続という。
【００２９】
図５に示すように、操作制限通りの設定の場合、初め、ＣＨ１が光入力断（すなわち、Ｌｉｎｅ  ＣＬＫ（Clock）断）のため、内部ＣＬＫ  ＳＥＬ（図中、“ＳＥＬ（Selector）”と表記されるセレクタ）は、内部発振器（図中、オシレータの回路記号で表記される）を選択することとなる。
【００３０】
そして、ＣＨ１の光入力断が復旧したとき、内部ＣＬＫ  ＳＥＬが、ＣＨ１  Ｌｉｎｅ  ＣＬＫに切り替り、全チャネル（ＣＨ２〜ＣＨ４）が、ＣＨ１とクロック同期の状態で信号疎通となる。
【００３１】
基準クロックの信号は、ＣＨ１から入力されると予め定められているとする。しかし、図６に示すように、誤って、ＷＤＭインターフェース装置の試験装置又は接続される通信装置と、多重端局の光インターフェース装置とを、ＣＨ１以外のチャネル、例えば、ＣＨ４に接続したとする。
【００３２】
図６の例では、ＣＨ１がクロック・パス専用チャネルであるにもかかわらず、ＣＨ４から始まって、ＣＨ３、ＣＨ２、ＣＨ１へと至るタンデム接続となっている。初めは、ＣＨ１が入力断（Ｌｉｎｅ同期クロック断）の為、内部ＣＬＫ  ＳＥＬ（図中、“ＳＥＬ”と表記されるセレクタ）は、内部発振器（図中、オシレータの回路記号で表記される）を選択する。
【００３３】
しかし、ＣＨ１の入力断が復旧したとき、内部ＣＬＫ  ＳＥＬがＣＨ１  Ｌｉｎｅ  ＣＬＫに切り替っても、依然として、内部発振器と同期したクロックのままとなり、基準クロックと非同期となり、信号疎通出来なくなる。これは、多重装置内部で、ＣＨ１  Ｌｉｎｅ  ＣＬＫは、内部発振器とのクロック同期が、すでに確立されているためである。
【００３４】
以上の現象を、「ＰＬＬループ・アイランド状態」と呼ぶ。実施形態の一例は、「ＰＬＬループ・アイランド状態」を含め、基準クロックのチャネルの入力断が復旧しても、基準クロックと非同期となり、信号疎通出来なくなるという不都合を解消するものである。
【００３５】
［実施形態の一例］
次に、図１〜図３を参照して、実施形態の一例を説明する。図１は、実施形態の一例にかかるＷＤＭインターフェース装置の構成を示すブロック図である。同図に示すように、実施形態の一例にかかるＷＤＭインターフェース装置３０は、クライアント回線側に、光インターフェース装置１０を配し、ＷＤＭ回線側に、光波長多重分離装置２０を配した構成となっている。
【００３６】
光インターフェース装置１０は、ｎ個（ｎは、１≦ｎなる自然数）の光インターフェースユニット１、２、・・・ｎを有する。各光インターフェースユニットは、同一構成及び同一機能を有するので、ここでは、光インターフェースユニット１に代表させて、光インターフェースユニットの構成及び機能について説明をおこなう。
【００３７】
光インターフェースユニット１は、クライアント回線側に、４つのチャネルごとのＷＢ側ＭＳＡ（Multi  Source  Agreement）１ａ１、・・・、１ａ４と、Framer  and  Digital  Wrapper  LSI１ｂと、ＷＤＭ回線側に配置されるＮＢ側ＭＳＡ１ｃとを有する。これら以外の構成については、説明及び図示を省略する。
【００３８】
本実施形態の一例では、一つの光インターフェースユニットにて、クライアント回線からの、例えば、４チャネルの信号を多重するものとする。ただし、信号多重は、４チャネルに限定されるものではない。
【００３９】
ＷＢ（Wide  Band）側ＭＳＡ１ａ１、・・・、１ａ４及びＮＢ（Narrow  Band）側ＭＳＡ１ｃは、光信号を電気信号に変換するＯ（Optical  signal）／Ｅ（Electrical  signal）変換回路、電気信号を光信号に変換するＥ／Ｏ変換回路、データ信号にクロック信号が重畳されている信号のクロック信号とデータ信号とを分離するＣＤＲ（Clock  Data  Recovery）、シリアル信号とパラレル信号の相互変換を行うＳＥＲＤＥＳ（SERializer／DESerializer）が一体化された光モジュールである。
【００４０】
Framer  and  Digital  Wrapper  LSI１ｂは、電気信号に変換されたクライアント回線側からの入力信号を処理して、電気信号のヘッダ情報を監視し、クライアント回線側からの入力信号断を検知する。さらに、電気信号のフレームの前後にチャネルヘッダおよびＦＥＣ（Forward  Error  Correction）を付加するＤＷ（Digital  Wrapper）処理を行なって、ＮＢ側ＭＳＡ１ｃへと受け渡す。
【００４１】
また、Framer  and  Digital  Wrapper  LSI１ｂは、電気信号に変換されたＷＤＭ回線側からの入力信号を処理して、電気信号のヘッダ情報を監視し、ＷＤＭ回線側からの入力信号断を検知する。また、電気信号に変換されたクライアント回線側からの入力信号を処理して、電気信号のヘッダ情報を監視し、クライアント回線側からの入力信号断を検知する。
【００４２】
さらに、Framer  and  Digital  Wrapper  LSI１ｂは、電気信号のフレームの前後に付加されているチャネルヘッダおよびＦＥＣを除去するＤ−ＤＷ（Decoding-Digital  Wrapper）処理を行なうとともに、電気信号を、チャネル分離を行って、それぞれ対応するＷＢ側ＭＳＡ１ａ１、・・・、１ａ４へと受け渡す。
【００４３】
光波長多重分離装置２０は、クライアント回線から、光インターフェース装置１０のｎ個の光インターフェースユニット１、２、・・・、ｎを経由して送られてきた波長λ１、・・・、λｎの光信号を波長多重するＭＵＸ（MUltipleXer)２１を有する。
【００４４】
また、光波長多重分離装置２０は、ＭＵＸ２１によって波長多重された光信号を、ＭＵＸ２１の後段で増幅するＰｏｓｔ  ＡＭＰ（AMPlifier）２２を有する。Post  ＡＭＰ（AMPlifier）２２によって増幅された光信号が、ＷＤＭ回線へと送出されることとなる。
【００４５】
さらに、光波長多重分離装置２０は、ＷＤＭ回線から送られてきた、波長多重されている光信号を、後述のＤＭＵＸ（DeMUltipleXer)２４による処理の前段で増幅するＰｒｅ  ＡＭＰ２３を有する。また、Ｐｒｅ  ＡＭＰ２３によって増幅された光信号の波長多重を分離するＤＭＵＸ２４を有する。ＤＭＵＸ２４によって波長λ１、・・・、λｎの信号に多重分離された光信号が、光インターフェース装置１０のｎ個の光インターフェースユニット１、２、・・・、ｎへと、それぞれ入力されることとなる。
【００４６】
次に、図２を参照して、実施形態の一例にかかる光インターフェースユニットの構成について説明する。実施形態の一例にかかる光インターフェースユニット１は、多重端局に収容される光インターフェース装置１０を構成する。また、多重端局内において、光インターフェースユニット１のＷＤＭ回線側に、光波長多重分離装置２０が接続されている。
【００４７】
光インターフェースユニット１は、ＷＢ側ＭＳＡ１ａ１、・・・、１ａ４と、Framer  and  Digital  Wrapper  LSI１ｂと、ＮＢ側ＭＳＡ１ｃと、高精度基準クロック選択部１９と、オシレータ１９ｄとを有する。
【００４８】
また、Framer  and  Digital  Wrapper  LSI１ｂは、ＣＨ１１、・・・、ＣＨ１４と、ＣＨ１５、・・・、ＣＨ１８とを有する。例えば、ＣＨ１１は、上りＦＩＦＯ（First  In  First  Out制御に従ってデータをブァファリングする）１１ａと、周波数差分検出部１１ｂと、挿入スタッフ率判定部１１ｃとを有する。
【００４９】
また、ＣＨ１５は、ＷＤＭ回線側からの信号をバッファリングし、ＷＢ側ＭＳＡ１ａ１へ出力する下りＦＩＦＯ１５ａと、ＷＤＭ回線側からのクロック信号又はＰＬＬ回路１９ｅからのクロック信号のいずれかを選択するセレクタ１５ｂと、セレクタ１５ｂによって選択されたクロックの位相制御を行なうＰＬＬ回路１５ｃとを有する。
【００５０】
なお、図２では、ＷＢ側ＭＳＡ１ａ１、ＣＨ１１及びＣＨ１５のみについて説明するが、「ＷＢ側ＭＳＡ１ａ２、ＣＨ１２及びＣＨ１６」〜「ＷＢ側ＭＳＡ１ａ４、ＣＨ１４及びＣＨ１６」も同様であるので、説明及び図示を省略する。
【００５１】
また、高精度基準クロック選択部１９は、挿入スタッフ率検出チャネル判定部１９ａと、ＣＬＫ（Clock）選択判定部１９ｂと、セレクタ１９ｃとを有する。セレクタ１９ｃの入力の一つに、オシレータ１９ｄが発振するクロック信号がある。オシレータ１９ｄが発振するクロック信号は、クライアント回線からの入力信号断の場合に、光インターフェースユニット内で、代替としてクロック信号を発振する。
【００５２】
また、高精度基準クロック選択部１９には、クロック信号の位相同期を行うＰＬＬ回路１９ｅが接続されている。高精度基準クロック選択部１９が出力するクロック信号は、ＰＬＬ回路１９ｅへと入力され、位相同期される。位相同期されたクロック信号は、上りＦＩＦＯ１１ａのリード・クロックとなる。
【００５３】
ＷＢ側ＭＳＡ１ａ１に入力された光信号は、ＷＢ側ＭＳＡ１ａ１によって電気信号へと変換され、上りＦＩＦＯ１１ａへ入力されるとともに、分離されたクロック信号が、ＦＩＦＯ１１ａのライト・クロック信号となるとともに、高精度基準クロック選択部１９のＣＬＫ選択判定部１９ｂ及びセレクタ１９ｃへと入力される。
【００５４】
上りＦＩＦＯ１１ａは、ＷＢ側ＭＳＡ１ａ１から入力された電気信号のデータをバッファリングするとともに、入力されたクロック信号の周波数を書き込み周波数（以下、ＷＣ）として周波数差分検出部１１ｂによって検出される。また、上りＦＩＦＯ１１ａにおいて、ＰＬＬ回路１９ｅから入力されるリード・クロック信号の周波数が、読み出し周波数（ＲＷ）として周波数差分検出部１１ｂによって検出される。
【００５５】
周波数差分検出部１１ｂは、上りＦＩＦＯ１１ａのＷＣ及びＲＣの周波数差分（周波数オフセット）を検出する。そして、挿入スタッフ率判定部１１ｃは、周波数差分検出部１１ｂによって検出された周波数差分に基づき、ＣＨ１１における挿入スタッフ率を計算する。挿入スタッフ率とは、入力周波数と、内部クロックとの周波数差分を吸収する為にデータに挿入されるスタッフビットの単位時間あたりでの割合をいう。
【００５６】
セレクタ１９ｃがオシレータ１９ｄを選択した状態で、各チャネルの上りＦＩＦＯの書込みクロックと読み出しクロックとの周波数比較を行い、その差分から、挿入されるスタッフ率を算出する。
【００５７】
そして、挿入スタッフ率検出チャネル判定部１９ａにおいて、各チャネルの挿入スタッフ率を比較する。ここで、２．４８８３２Ｇｂ／ｓの４ＣＨをＯＴＵ２に多重する場合では、挿入スタッフ率が約１７．６５ｐｐｍで、伝送路周波数偏差が０となることが分かっているため、挿入スタッフ率が１７．６５ｐｐｍに最も近いチャネルを判定する。
【００５８】
また、例えば、９．９５３２８Ｇｂ／ｓの４ＣＨを、ＯＴＵ３に多重する場合では、挿入スタッフ率が約３５．４６ｐｐｍで、伝送路周波数偏差０となることが分かっているため、挿入スタッフ率が約３５．４６ｐｐｍに最も近いチャネルを判定する。
【００５９】
このようにして、挿入スタッフ率が、所定値に最も近いチャネルを判定した結果に基づいて、ＣＬＫ選択判定部１９ｂは、唯一のチャネルを、基準クロックを伝送するチャネルであると判定して、選択する。選択結果に基づき、セレクタ１９ｃは、該当するチャネルのみのクロックを入力するように切り替える。
【００６０】
なお、ＣＬＫ選択判定部１９ｂは、チャネル構成及び各チャネルのクロック伝送状況を監視している。例えば、各チャネルの入力信号断などの警告情報及び入力信号断からの復旧などを監視する。この監視結果によっては、挿入スタッフ率検出チャネル判定部１９ａによって、最も挿入スタッフ率が所定値に近いと判定されたチャネルであっても、該当チャネルのクロック信号を選択しないように制御する。
【００６１】
なお、ＩＴＵ−Ｔ  Ｇ．７０９のＡＰＰＥＮＤＩＸ  Ｉに記載されている、０スタッフの場合の挿入スタッフ率の算出方法を、以下に示す。なお、以下に示す数式で使用する各変数及び各パラメ−タを、予め定義しておく。
【００６２】
ＯＤＵｋ：クライアント信号を格納するＯＤＵ名で、例えば、ＯＤＵ１をＯＤＵ２に格納する場合はｋ＝２である。
ＯＤＵｊ：格納されるクライアントＯＤＵ名で、例えば、ＯＤＵ１をＯＤＵ２に格納する場合はｊ＝１である。
Ｎ：クライアントを格納するＯＤＵｋのＯＤＵｊ（ペイロード領域）の固定スタッフバイト数
Ｓ：公称のＳＴＭ（Synchronous  Transport  Module）−Ｎ（ＳＯＮＥＴ／ＳＤＨ（Synchronous  Optical  NETwork／Synchronous  Digital  Hierarchy）では、１５５。５２Ｍｂｐｓの論理回線を多重化の単位としており、これをＳＴＭ−１という。Ｎは、１５５．５２Ｍｂｐｓの何倍の伝送レートであるかを示す倍数である）。または、ＯＤＵｊクライアント速度［ｂｉｔ/ｓｅｃ］
Ｔ：公称のＯＤＵｋフレーム時間［ｓｅｃ］
ｙｃ：クライアント信号周波数オフセット［ｐｐｍ］
ｙｓ：サーバ（多重するための非同期ＣＬＫ）信号の周波数オフセット［ｐｐｍ］
ｐ：クライアント信号が利用可能なＯＤＵｋペイロード領域の比率
Ｎｆ：特定の周波数オフセット（多くのフレームにわたり平均化された値）に対し、ＯＤＵｋフレームにマッピングされるクライアント信号平均数
【００６３】
上記定義に従うと、Ｎｆは、次式で表される。
【００６４】
【数１】
2009296067.tif 000003
【００６５】
ここで、周波数オフセットｙｃ、ｙｓが１に対して極めて小さい場合には、Ｎｆは、次式で近似される。
【００６６】
【数２】
2009296067.tif 000004
【００６７】
ここで、βを次式で定義する。
【００６８】
【数３】
2009296067.tif 000005
【００６９】
ＯＤＵｋフレームにマッピングされるクライアントバイトの平均数Ｎｆは、該当するクライアントが利用可能なペイロード領域にバイトの総数（４×３，８０８×ｐ＝１５，２３２×ｐ）から、該当するクライアントに対する固定スタッフバイト数（Ｎ）を引く。更に多数のフレームにわたって、該当するクライアントに対してスタッフされたバイトの平均数を加算したものに等しい。後者はスタッフ率をαとすると、αに、該当するクライアントのスタッフフレームの比率ｐを乗算した結果に等しい。よって、上記（２）式から、次式が得られる。
【００７０】
【数４】
2009296067.tif 000006
【００７１】
上記（４）式を使い、非同期のクラインアント４ＣＨを、非同期のＯＤＵｋに多重する場合を示す。先ず、２．４８８３２Ｇｂ／ｓをＯＤＵ１へマッピングし、４ＣＨを、ＯＤＵ２に多重する場合を示す。２．４８８３２Ｇｂ／ｓは、従属同期のままＯＤＵ１にマッピングされたあと、非同期のサーバの周波数に、４ＣＨのＯＤＵ１がＯＤＵ２に多重される。
【００７２】
具体的には、
Ｓ＝２．４８８３２Ｇｂ／ｓ×２３９÷２３８
Ｔ＝３，８２４×４÷（４×２．４８８３２Ｇｂ／ｓ×２３９÷２３８）（ただし、３，８２４×４は、ＯＤＵ２のフレーム長である）
ｐ＝０．２５（ＯＤＵ２のペイロードを４分割するため)
Ｎ＝０（ＯＤＵ１は、固定スタッフバイトなし）
であるので、これらを（４）式へ代入すると、スタッフ率αは、次式のように求まる。
【００７３】
【数５】
2009296067.tif 000007
【００７４】
β＝１＋ｙ（すなわち、ｙ≡ｙｃ−ｙｓ（自装置と、クライアントとのクロック偏差、すなわち、挿入スタッフ率））とおくと、上記（５）から、スタッフ率αは、次式のようになる。
【００７５】
【数６】
2009296067.tif 000008
【００７６】
ここで、スタッフ率α＝０とおくと、次式のようにｙが求まる。
【００７７】
【数７】
2009296067.tif 000009
【００７８】
よって挿入スタッフ率が約１７．６５ｐｐｍであると、α＝０（０スタッフ）になる。
【００７９】
次に、９．９５３２８Ｇｂ／ｓをＯＤＵ２へマッピングし、４ＣＨをＯＤＵ３に多重する場合を示す。９．９５３２８Ｇｂ／ｓは従属同期のままＯＤＵ２にマッピングされたあと、非同期のサーバの周波数に４ＣＨのＯＤＵ２がＯＤＵ３に多重される。
【００８０】
具体的には、
Ｓ＝９．９５３２８Ｇｂ／ｓ×２３９÷２３７
Ｔ＝３，８２４×４÷（４×９．９５３２８Ｇｂ／ｓ×２３９÷２３６）（ただし、３，８２４×４は、ＯＤＵ２のフレーム長である）
ｐ＝０．２５（ＯＤＵ３のペイロードを４分割するため)
Ｎ＝０（ＯＤＵ１は、固定スタッフバイトなし）
であるので、これらを（４）式へ代入すると、スタッフ率αは、次式のように求まる。
【００８１】
【数８】
2009296067.tif 000010
【００８２】
β＝１＋ｙとおくと、上記（８）から、スタッフ率αは、次式のようになる。
【００８３】
【数９】
2009296067.tif 000011
【００８４】
ここで、スタッフ率α＝０とおくと、次式のようにｙが求まる。
【００８５】
【数１０】
2009296067.tif 000012
【００８６】
よって挿入スタッフ率が約３５．４６ｐｐｍであるとα＝０（０スタッフ）になる。
【００８７】
次に、実施形態の一例にかかる基準クロック選択処理について説明する。図３は、実施形態の一例にかかる基準クロック選択処理手順を示すフローチャートである。同図に示すように、先ず、周波数差分検出部１１ｂは、チャネルごとに、ライトクロック及びリード・クロックのクロック差分を検出する（ステップＳ１０１）。続いて、挿入スタッフ率判定部１１ｃは、チャネルごとに、クロック差分から挿入スタッフ率を判定する（ステップＳ１０２）。
【００８８】
続いて、挿入スタッフ率検出チャネル判定部１９ａは、全チャネルのうち、高精度基準クロックの挿入スタッフ率に最も近いチャネルを判定する（ステップＳ１０３）。続いて、ＣＬＫ選択判定部１９ｂは、チャネルの実装状態及び入力信号の状態に応じて、高精度基準クロックの挿入スタッフ率に最も近いチャネルのクロックを選択する（ステップＳ１０４）。
【００８９】
続いて、Framer  and  Digital  Wrapper  LSI１ｂは、ＣＬＫ選択判定部１９ｂによって選択されたクロックに基づき、網同期及び／又はチャネル多重を行う（ステップＳ１０５）。
【００９０】
以上の実施形態の一例によれば、複数チャネルをデジタル・ラッパー化して多重化を行う光インターフェースユニットを有する光インターフェース装置において、現地設置時の導通試験を行う場合に、基準クロックを伝送するチャネルを意識せずとも、自動的に基準クロックを伝送するチャネルが特定されるので、スムースに導通試験をおこなうことができる。
【００９１】
また、特定のチャネルをクロック・パス専用としないため、ユーザ操作の制限を設けることがなく、自動的に対向する通信装置とクロック同期を取ることができ、スムースな信号疎通が可能になる。
【００９２】
以上、本発明の実施形態の一例を説明したが、本発明は、これに限られるものではなく、特許請求の範囲に記載した技術的思想の範囲内で、更に種々の異なる実施形態で実施されてもよいものである。また、実施形態の一例に記載した効果は、これに限定されるものではない。
【００９３】
また、上記実施形態の一例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記実施形態の一例で示した処理手順、制御手順、具体的名称、各種のデータやパラメータを含む情報については、特記する場合を除いて任意に変更することができる。
【００９４】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散又は統合して構成することができる。
【００９５】
さらに、各装置にて行なわれる各処理機能は、その全部または任意の一部が、ＣＰＵ（Central  Processing  Unit）（またはＭＰＵ（Micro  Processing  Unit）、ＭＣＵ（Micro  Controller  Unit）などのマイクロ・コンピュータ）および当該ＣＰＵ（またはＭＰＵ、ＭＣＵなどのマイクロ・コンピュータ）にて解析実行されるプログラムにて実現され、あるいは、ワイヤードロジックによるハードウェアとして実現されてもよい。
【００９６】
以上の実施形態の一例を含む実施形態に関し、さらに以下の付記を開示する。
【００９７】
（付記１）複数のチャネルを介して信号が入力される通信インターフェース装置の基準クロック選択回路であって、
各前記チャネルを介して入力された信号に挿入される挿入スタッフビット量を監視する挿入スタッフビット量監視部と、
前記挿入スタッフビット量監視部によって監視される各前記チャネルを介して入力された信号に挿入される挿入スタッフビット量が、基準クロック発信器によって生成された基準クロックに基づく基準信号の挿入スタッフビット量と一致するチャネルを、前記複数のチャネルから検出するチャネル検出部と、
前記チャネル検出部によって検出されたチャネルを、接続されるネットワーク網の網同期の基準クロックとして選択する基準クロック選択部と
を有することを特徴とする基準クロック選択回路。
【００９８】
（付記２）前記基準クロック選択部は、各前記複数のチャネル実装状況及び各前記信号が含む警告信号を監視し、前記チャネル検出部によって検出されたチャネルを介して入力された前記信号が、前記警告信号を含まない場合に、前記チャネル検出部によって検出されたチャネルを、接続されるネットワーク網の網同期の基準クロックとして選択することを特徴とする付記１記載の基準クロック選択回路。
【００９９】
（付記３）各前記チャネルは、
入力された信号を滞留させるバッファメモリと、
前記信号の書き込み周波数及び読み出し周波数の差分を検出する周波数差分検出部と
を有し、
前記挿入スタッフビット量監視部は、前記周波数差分検出部によって検出された前記信号の書き込み周波数及び読み出し周波数の差分から前記挿入スタッフビット量を判定することを特徴とする付記１又は２記載の基準クロック選択回路。
【０１００】
（付記４）前記複数のチャネルを介して入力された信号を、前記基準クロックを基準として多重する信号多重部をさらに有することを特徴とする付記１、２又は３記載の基準クロック選択回路。
【０１０１】
（付記５）前記信号は、光信号であり、
前記信号多重部は、デジタル・ラッパー方式によって、前記複数のチャネルを介して入力された光信号を多重することを特徴とする付記４記載の基準クロック選択回路。
【０１０２】
（付記６）複数のチャネルを介して信号が入力される通信インターフェース装置の基準クロック選択方法であって、
各前記チャネルを介して入力された信号に挿入される挿入スタッフビット量を監視する挿入スタッフビット量監視ステップと、
前記挿入スタッフビット量監視ステップによって監視される各前記チャネルを介して入力された信号に挿入される挿入スタッフビット量が、基準クロック発信器によって生成された基準クロックに基づく基準信号の挿入スタッフビット量と一致するチャネルを、前記複数のチャネルから検出するチャネル検出ステップと、
前記チャネル検出ステップによって検出されたチャネルを、接続されるネットワーク網の網同期の基準クロックとして選択する基準クロック選択ステップと
を含むことを特徴とする基準クロック選択方法。
【０１０３】
（付記７）前記基準クロック選択ステップは、各前記複数のチャネル実装状況及び各前記信号が含む警告信号を監視し、前記チャネル検出ステップによって検出されたチャネルを介して入力された前記信号が、前記警告信号を含まない場合に、前記チャネル検出ステップによって検出されたチャネルを、接続されるネットワーク網の網同期の基準クロックとして選択することを特徴とする付記６記載の基準クロック選択方法。
【０１０４】
（付記８）各前記チャネルに入力された信号を滞留させる滞留ステップと、
前記信号の書き込み周波数及び読み出し周波数の差分を検出する周波数差分検出ステップと
をさらに含み、
前記挿入スタッフビット量監視ステップは、前記周波数差分検出部によって検出された前記信号の書き込み周波数及び読み出し周波数の差分から前記挿入スタッフビット量を判定することを特徴とする付記６又は７記載の基準クロック選択方法。
【０１０５】
（付記９）前記複数のチャネルを介して入力された信号を、前記基準クロックを基準として多重する信号多重ステップをさらに含むことを特徴とする付記６、７又は８記載の基準クロック選択方法。
【０１０６】
（付記１０）前記信号は、光信号であり、
前記信号多重ステップは、デジタル・ラッパー方式によって、前記複数のチャネルを介して入力された光信号を多重することを特徴とする付記９記載の基準クロック選択方法。
【０１０７】
（付記１１）複数のチャネルを介して信号が入力される通信インターフェース装置であって、
各前記チャネルを介して入力された信号に挿入される挿入スタッフビット量を監視する挿入スタッフビット量監視部と、
前記挿入スタッフビット量監視部によって監視される各前記チャネルを介して入力された信号に挿入される挿入スタッフビット量が、基準クロック発信器によって生成された基準クロックに基づく基準信号の挿入スタッフビット量と一致するチャネルを、前記複数のチャネルから検出するチャネル検出部と、
前記チャネル検出部によって検出されたチャネルを、接続されるネットワーク網の網同期の基準クロックとして選択する基準クロック選択部と
を有することを特徴とする通信インターフェース装置。
【０１０８】
（付記１２）前記基準クロック選択部は、各前記複数のチャネル実装状況及び各前記信号が含む警告信号を監視し、前記チャネル検出部によって検出されたチャネルを介して入力された前記信号が、前記警告信号を含まない場合に、前記チャネル検出部によって検出されたチャネルを、接続されるネットワーク網の網同期の基準クロックとして選択することを特徴とする付記１１記載の通信インターフェース装置。
【０１０９】
（付記１３）各前記チャネルに入力された信号を滞留させるバッファメモリと、
前記信号の書き込み周波数及び読み出し周波数の差分を検出する周波数差分検出部と
をさらに有し、
前記挿入スタッフビット量監視部は、前記周波数差分検出部によって検出された前記信号の書き込み周波数及び読み出し周波数の差分から前記挿入スタッフビット量を判定することを特徴とする付記１１又は１２記載の通信インターフェース装置。
【０１１０】
（付記１４）前記複数のチャネルを介して入力された信号を、前記基準クロックを基準として多重する信号多重部をさらに有することを特徴とする付記１１、１２又は１３記載の通信インターフェース装置。
【０１１１】
（付記１５）前記信号は、光信号であり、
前記信号多重部は、デジタル・ラッパー方式によって、前記複数のチャネルを介して入力された光信号を多重することを特徴とする付記１４記載の通信インターフェース装置。
【図面の簡単な説明】
【０１１２】
【図１】実施形態の一例にかかるＷＤＭインターフェース装置の構成を示すブロック図である。
【図２】実施形態の一例にかかる光インターフェースユニットの構成を示すブロック図である。
【図３】実施形態の一例にかかる基準クロック選択処理手順を示すフローチャートである。
【図４】従来技術のＷＤＭインターフェース装置の構成の概略を示すブロック図である。
【図５】光インターフェース装置の導通試験例を説明するための説明図である。
【図６】ＰＬＬループアイランド状態を説明するための説明図である。
【符号の説明】
【０１１３】
１、・・・、ｎ    光インターフェースユニット
１ａ１、１ａ２、１ａ３、１ａ４    ＷＢ側ＭＳＡ
１ｂ    Framer  and  Digital  Wrapper  LSI
１ｃ    ＮＢ側ＭＳＡ
１０    光インターフェース装置
１１〜１４、１５〜１８    ＣＨ
１１ａ    上りＦＩＦＯ
１１ｂ    周波数差分検出部
１１ｃ    挿入スタッフ率判定部
１５ａ    下りＦＩＦＯ
１５ｂ    セレクタ
１５ｃ    ＰＬＬ回路
１９    高精度基準クロック選択部
１９ａ    挿入スタッフ率検出チャネル判定部
１９ｂ    ＣＬＫ選択判定部
１９ｃ    セレクタ
１９ｄ オシレータ
１９ｅ    ＰＬＬ回路
２０    光波長多重分離装置
２１    ＭＵＸ
２２    Ｐｏｓｔ  ＡＭＰ
２３    Ｐｒｅ  ＡＭＰ
２４    ＤＭＵＸ
【図１】
2009296067.tif 000013
【図２】
2009296067.tif 000014
【図３】
2009296067.tif 000015
【図４】
2009296067.tif 000016
【図５】
2009296067.tif 000017
【図６】
2009296067.tif 000018